(57)【要約】本発明の弾性変形可能な筒状容器は、開口部、先端が閉じた閉口部、前記開口部と前記閉口部を繋ぐ中間部を有する弾性変形可能な筒状容器であって、前記中間部は、径が漸次縮小した縮径部を有し、前記縮径部の径が最も縮小した部位の径は、容器の径が最も大きな部位の径に対し７０〜９５％であり、前記縮径部の中心軸線を通る縦断面形状は、直線部分を介さずに連続した曲線によって形成されるか、または１以上の直線部分を含む２以上の曲線によって形成され、前記直線部分が前記曲線と接線を形成している。【選択図】図１
2019207793.tif 000002
【特許請求の範囲】
【請求項１】
開口部、先端が閉じた閉口部、前記開口部と前記閉口部を繋ぐ中間部を有する弾性変形可能な筒状容器であって、前記中間部は、径が漸次縮小した縮径部を有し、前記縮径部の径が最も縮小した部位の径は、容器の径が最も大きな部位の径に対し７０〜９５％であり、かつ前記縮径部の中心軸線を通る縦断面形状は、直線部分を介さずに連続した２以上の曲線によって形成されるか、または１以上の直線部分を含む２以上の曲線によって形成され、前記直線部分が前記曲線と接線を形成している、弾性変形可能な筒状容器。
【請求項２】
前記縮径部の中心軸線を通る縦断面形状が、２以上の円弧が変曲点で接続することにより形成される、請求項１に記載の筒状容器。
【請求項３】
連続して配置される、容器の外側に凸となる第１の円弧、容器の内側に凸となる第２の円弧、及び容器の外側に凸となる第３の円弧が、それぞれ隣接する円弧と変曲点で接続することにより、前記縮径部の中心軸線を通る縦断面形状が形成される、請求項１または２に記載の筒状容器。
【請求項４】
連続して配置される、容器の外側に凸となる第１の円弧、容器の内側に凸となる第２の円弧、及び容器の外側に凸となる第３の円弧が、それぞれ隣接する円弧と直線部分を介して接続し、かつ前記直線部分が隣接する円弧と接線を形成することにより、前記縮径部の中心軸線を通る縦断面形状が形成される、請求項１に記載の筒状容器。
【請求項５】
前記容器の縦断面形状において、前記縮径部の径が最も縮小した部位を形成する円弧の半径（Ｒ）と前記縮径部の径が最も縮小した部位の径（ｄ）の比（Ｒ／ｄ）が８〜２５である、請求項１〜４のいずれかに記載の筒状容器。
【請求項６】
前記筒状容器がコンドームである、請求項１〜５のいずれかに記載の筒状容器。
【発明の詳細な説明】
【技術分野】
【０００１】
本発明は、膨張による破裂に対し耐久性に優れる弾性変形可能な筒状容器に関し、特に膨張による破裂に対し耐久性に優れると共に、収容容量を大きく低下させない筒状容器に関する。
【背景技術】
【０００２】
天然ゴム、ポリウレタンゴム等の合成ゴム、もしくは高分子エラストマーは、柔軟性、伸縮性に優れ、薄肉であっても破れにくく、水密性・気密性に優れることから、コンドーム、採尿具、手袋、プローブカバー等の広い用途に使用されている。また、形態がコンパクトであると共に、膨張性があり収容容量が大きいため、災害時の貯水容器等としての利用も注目されている。【０００３】
例えば、特開２００２−００１３７３号には、簡易処理槽、使い捨て処理槽、膨脹ゴム膜容器等として使用するゴム膜を利用した膨張容器が記載されており、特開２０１７−１２３９９９号には、コンドームの素材を利用した男性用尿貯留具が記載されている。しかしながら、天然ゴム、合成ゴム、高分子エラストマー等の素材をコンドームや膨張性の容器として使用する場合には、膨張による破裂に対し一層の耐圧性の向上が要求される。【０００４】
また、ＪＩＳＴ９１１１にはラテックスコンドームの規格として、ピンホール検出試験（水漏れ試験）および破裂試験（破裂容量および破裂圧力の測定）が規定されており、コンドームの製造においては、これらの試験に安定して合格することも重要である。
【先行技術文献】
【特許文献】
【０００５】
【特許文献１】特開２００２−００１３７３号公報
【特許文献２】特開２０１７−１２３９９９号公報
【発明の概要】
【発明が解決しようとする課題】
【０００６】
したがって、本発明の目的は、膨張による破裂に対し耐久性に優れ、かつ収容容量が大きい弾性変形可能な筒状容器を提供することであり、特に、膨張による破裂に対し耐久性に優れると共に、収容容量を大きく低下させないコンドームを提供することである。
【課題を解決するための手段】
【０００７】
本発明者らは上記目的に鑑み鋭意研究した結果、弾性変形可能な筒状容器の中間部の径を縮小し、径が最も縮小した部位の径と容器の径が最も大きな部位の径の比率を特定の範囲内にするとともに、筒状容器の縦断面形状の径が最も縮小した部位を曲線によって形成することにより、破裂耐久性が向上するとともに、収容容量が大きい容器が得られることを見出し、本発明を完成させた。【０００８】
すなわち、本発明の弾性変形可能な筒状容器は、開口部、先端が閉じた閉口部、前記開口部と前記閉口部を繋ぐ中間部を有する弾性変形可能な筒状容器であり、前記中間部は、径が漸次縮小した縮径部を有し、前記縮径部の径が最も縮小した部位の径は、容器の径が最も大きな部位の径に対し７０〜９５％であり、かつ前記縮径部の中心軸線を通る縦断面形状は、直線部分を介さずに連続した２以上の曲線によって形成されるか、または１以上の直線部分を含む２以上の曲線によって形成され、前記直線部分が前記曲線と接線を形成している。【０００９】
前記縮径部の中心軸線を通る縦断面形状は、好ましくは２以上の円弧が変曲点で接続することにより形成される。【００１０】
本発明の一つの実施形態において、容器の縮径部の中心軸線を通る縦断面形状は、連続して配置される、容器の外側に凸となる第１の円弧、容器の内側に凸となる第２の円弧、及び容器の外側に凸となる第３の円弧が、それぞれ隣接する円弧と変曲点で接続することにより形成される。【００１１】
本発明の一つの実施形態において、容器の縮径部の中心軸線を通る縦断面形状は、連続して配置される、容器の外側に凸となる第１の円弧、容器の内側に凸となる第２の円弧、及び容器の外側に凸となる第３の円弧が、それぞれ隣接する円弧と直線部分を介して接続し、かつ前記直線部分が隣接する円弧と接線を形成することにより形成される。【００１２】
本発明の一つの実施形態において、容器の縮径部の径が最も縮小した部位を形成する円弧の半径（Ｒ）と縮径部の径が最も縮小した部位の径（ｄ）の比（Ｒ／ｄ）は８〜２５、１０〜１８、または１１〜１５である。【００１３】
本発明の一つの実施形態において、筒状容器はコンドームである。
【図面の簡単な説明】
【００１４】
【図１】図１は、中間部に径が縮小した縮径部を有し、縮径部の輪郭線が直線部分を介さずに連続した曲線によって形成される、本発明のコンドームを示す（ａ）正面図である。
【図２】図２は、中間部に径が縮小した縮径部を有し、縮径部の輪郭線が直線部分を介さずに連続した曲線によって形成される、本発明のコンドームを示す、（ｂ）平面図である。
【図３】図３は、中間部に径が縮小した縮径部を有し、縮径部の輪郭線が直線部分を介さずに連続した曲線によって形成される、本発明のコンドームを示す、（ｃ）底面図である。
【図４】図４は、中間部に径が縮小した縮径部を有し、縮径部の中心軸線（Ｓ）を通る縦断面形状が直線部分を介さずに連続した曲線によって形成される、本発明のコンドームを示す縦断面図である。
【図５】図５は、容器の径の縮小率と容器の破裂圧力および破裂容量との関係を示すグラフである。
【図６】図６は、中間部がストレートな輪郭線により形成される、従来のコンドームを示す（ａ）正面図である。
【図７】図７は、中間部がストレートな輪郭線により形成される、従来のコンドームを示す（ｂ）平面図である。
【図８】図８は、中間部がストレートな輪郭線により形成される、従来のコンドームを示す（ｃ）底面図である。
【図９】図９は、径が縮小した縮径部がストレートな輪郭線により形成される、従来のコンドームを示す（ａ）正面図である。
【図１０】図１０は、径が縮小した縮径部がストレートな輪郭線により形成される、従来のコンドームを示す（ｂ）平面図である。
【図１１】図１１は、径が縮小した縮径部がストレートな輪郭線により形成される、従来のコンドームを示す（ｃ）底面図である。
【発明を実施するための形態】
【００１５】
本明細書において、用語「筒状」は中空の管状であることを意味し、円筒形に限られず、管状構造の一部にくびれを有していてもよく、また膨らみを有していてもよい。筒状容器の「縦断面」は、容器を長手方向（軸線方向）に切断したときの断面を意味し、筒状容器の「径」は、容器の横断面（軸線方向に対し直角に切断したときの断面）の直径または最大径を意味する。容器の「収容容量」は、容器が安定して収容することができる収容物の最大容量を意味する。容器の「破裂容量」は、容器に空気を注入することにより測定される、容器が破裂するまでに収容することができる空気の最大容量を意味する。容器の「収容容量」は「破裂容量」の増大に従って増大する。容器の「破裂圧力」は、容器に空気を注入することにより測定される、容器が破裂するときの圧力を意味する。容器の「中間部」は、容器の開口部と閉口部を繋ぐ中間部分を意味する。「縮径部」は容器の開口部と閉口部の中間に位置し、径が縮小した部分を意味する。「縮径部」は容器の「中間部」の一部であってもよいし、「中間部」のすべてであってもよい。「開口部」は筒状容器の出し入れ口を意味し、「閉口部」は筒状容器の先端の閉じた部分を意味する。また、「ｍｍ」はミリメートルを意味し、「ｇ」はグラムを意味する。
【００１６】
弾性変形可能な材料で作製された筒状容器は、容器に液体、気体等の流体を注入し、開口部をパッキンで封止すると、筒状容器の中間部が最も膨張しやすく、中間部が紡錘形に膨張する。このように紡錘形に膨張した筒状容器の中間部は、他の部位よりひずみが大きく、破裂しやすくなる。
【００１７】
図６（ａ）は中間部がストレートな輪郭線により形成された従来のコンドームを示す正面図である。図６（ａ）に示すコンドームは、中間部の輪郭線が中心軸線（Ｓ）に平行な２本の平行な直線で形成される。このコンドームに液体または気体を注入し、開口部をパッキンで封止するとコンドームの中間部が紡錘形に膨張し、コンドームの中間部が破裂しやすくなる。このタイプのコンドームは、収容容量は大きいが、耐圧性能が低いという欠点を有する。
【００１８】
これに対し、容器の中間部の径を縮小（縮径）すると、容器の中間部の膨張は抑制され、容器の上部および下部が膨張しやすくなる。弾性容器の応力−ひずみ曲線は、ひずみが大きくなるにつれて傾き（ひずみの変化に対する応力の変化）が大きくなる。低ひずみの領域は初期において膨張しやすいが、一定以上膨張するとひずみが大きくなり、それにつれて応力が急激に増大して変形しにくくなる。容器の中間部の径を縮小した場合、初期において中間部より上部および下部が優先して膨張するが、ひずみが大きくなり、それにつれて応力が増大すると中間部が膨張しやすくなる。したがって、容器の径を適切に調整することによって筒状容器がほぼ均等に膨張し、優れた耐圧性能を発揮することができる。
【００１９】
図５に容器の径の縮小率と容器の破裂圧力および破裂容量との関係を示す。図５に示すように、容器（胴部）の径の縮小率が増大するにつれて容器の破裂圧力は増大するが、容器の破裂容量は大きく低下する。容器の径を縮小した場合、容器の破裂圧力と容器の破裂容量は反対方向に変化し、両方を満足する縮小率は得られない。このように、耐圧性を向上させ、かつ収容容量を低下させない容器を容器の径の縮小だけで達成することは困難である。
【００２０】
図９（ａ）は、径が縮小した部分がストレートな輪郭線により形成される従来のコンドームを示す正面図である。このコンドームは、コンドームの縮径部の輪郭線が、コンドームの中心軸線（Ｓ）と平行な直線により形成され、容器の閉口部近傍から縮径部への移行部分と、容器の開口部近傍から縮径部への移行部分が曲線で形成されている。すなわち、容器の縮径部と閉口部への移行部との接続部分、および容器の縮径部と開口部への移行部との接続部分は直線と曲線の接続になっている。このような形状の容器は、容器の中間部に縮径部を設けることにより耐圧性は向上するが、容器の収容容量が低下することが本発明者らの研究により判明している。
【００２１】
本発明者らは、筒状容器の中間部に縮径部を設けると共に、縮径部の輪郭線（または中心軸線を通る縦断面形状）を調整することにより、容器の収容容量を大きく低下させることなく、容器の耐圧性を有意に向上させ得ることを見出した。本発明の容器は、開口部、先端が閉じた閉口部、開口部と閉口部を繋ぐ中間部を有し、中間部は、径が漸次縮小した縮径部を有する。縮径部の径が最も縮小した部位の輪郭線（または中心軸線を通る縦断面形状）は曲線によって形成され、縮径部の径が最も縮小した部位の径は、容器の径が最も大きな部位の径（例えば、開口部の径）に対し好ましくは７０〜９５％であり、より好ましくは８０〜９５％であり、さらに好ましくは８５〜９５％である。
【００２２】
筒状容器の中間部はすべて縮径部によって形成されていてもよいし、開口部および／または閉口部側に径の大きさが一定の縮径していない部分を有していてもよい。また、縮径部は一つの筒状容器について閉口部を除いて１箇所が好ましい。
【００２３】
本発明による一つの容器は、中間部に縮径部を有すると共に、縮径部の輪郭線（または中心軸線を通る縦断面形状）が、直線部分を介さずに連続した２以上の曲線によって形成される。曲線部分は、例えば２以上の円弧、例えば３つの円弧の接続により形成される。曲線部分が２以上の円弧の接続により形成される場合、各円弧の大きさは同じであっても異なっていてもよい。本発明の一つの実施形態では、縮径部の輪郭線（または中心軸線を通る縦断面形状）は、凸となる向きが異なる２以上の円弧が変曲点で接続することにより形成される。例えば、容器の縮径部の中心軸線を通る縦断面形状は、連続して配置される、容器の外側に凸となる第１の円弧、容器の内側に凸となる第２の円弧、及び容器の外側に凸となる第３の円弧が、それぞれ隣接する円弧と変曲点で接続することにより形成される。
【００２４】
本発明による別の容器は、中間部に縮径部を有すると共に、縮径部の輪郭線（または中心軸線を通る縦断面形状）が、１以上の直線部分を含む２以上の曲線によって形成され、直線部分が曲線と接線を形成している。例えば、縮径部の中心軸線を通る縦断面形状は、
連続して配置される、容器の外側に凸となる第１の円弧、容器の内側に凸となる第２の円弧、及び容器の外側に凸となる第３の円弧が、それぞれ隣接する円弧と直線部分を介して接続し、かつ直線部分が隣接する円弧と接線を形成することにより形成される。
【００２５】
本発明の筒状容器は、縮径部の縦断面形状を直線部分を介さずに緩やかな連続した曲線によって形成することにより、または直線部分が曲線の接線となるように曲線と曲線を連結することにより耐圧性の向上と収容容量低下防止の両方を達成する。
【００２６】
容器の縦断面形状において、容器の縮径部を形成する円弧の半径は、縮径部の径が最も縮小した部位の径に対し十分に大きいことが望ましい。具体的には、縮径部の径が最も縮小した部位を形成する円弧の半径（Ｒ）と縮径部の径が最も縮小した部位の径（ｄ）の比（Ｒ／ｄ）が、好ましくは８〜２５、より好ましくは１０〜１８、さらに好ましくは１１〜１５である。
【００２７】
本発明の容器の好ましい実施形態について図１〜３を参照しながら説明する。図１（ａ）は、中間部に径が縮小した部分（縮径部）を有し、縮径部の輪郭線が直線部分を介さずに連続した曲線によって形成される本発明のコンドームを示す正面図である。コンドーム先端の閉口部近傍に、コンドームの外側に凸となる円弧が好ましくは閉口部近傍の直線部分と接線を形成するように接続し、円弧によって径が漸次縮小される。途中で変曲点（Ｐ）を介してコンドームの内側に凸となる円弧に反転し、さらに縮小してコンドームの中心軸線（Ｓ）と平行な直線に接する。この接点（Ｑ）は径が最も縮小した部位となる。接点を超えると径は漸次拡大し、途中で変曲点（Ｐ’）を介してコンドームの外側に凸となる円弧に再び反転する。向きが反転した円弧は径がさらに漸次拡大してコンドームの開口部側の直線部分と好ましくは接線を形成するように接続する。このように、本発明のコンドームは、縮径部の輪郭線（または中心軸線（Ｓ）を通る縦断面形状）が直線部分を介さずに連続した曲線によって形成される。
【００２８】
本発明の容器の好ましい別の実施形態は、図１（ａ）に示すコンドームにおいて、円弧と円弧が、変曲点ではなく、円弧と接線を形成する直線部分を介して接続する。コンドーム先端の閉口部近傍に、コンドームの外側に凸となる円弧が好ましくは閉口部近傍の直線部分と接線を形成するように接続し、円弧によって径が漸次縮小される。途中でコンドームの外側に凸となる円弧と接線を形成するように直線部分が円弧と接続し、さらにこの直線部分と接線を形成するようにコンドームの内側に凸となる円弧が接続する。コンドームの内側に凸となる円弧はさらに縮小してコンドームの中心軸線（Ｓ）と平行な直線に接する。この接点（Ｑ）は径が最も縮小した部位となる。接点を超えると径は漸次拡大し、途中でコンドームの内側に凸となる円弧と接線を形成するように直線部分が円弧と接続し、さらにこの直線部分と接線を形成するようにコンドームの外側に凸となる円弧が接続する。向きが反転した円弧は径がさらに漸次拡大してコンドームの開口部側の直線部分と好ましくは接線を形成するように接続する。
【００２９】
コンドームの開口部の径は、通常約３０〜４０ｍｍであり、適切には約３１〜３７ｍｍであり、より適切には３２〜３７ｍｍである。本発明のコンドームの径が最も縮小した部位の径は、通常約２２〜３８ｍｍであり、好ましくは約２６〜３４ｍｍである。コンドームの縮径部の輪郭を形成する円弧の半径は、径が最も縮小した部位を形成する円弧の半径が通常約３３０ｍｍ〜４７０ｍｍであり、好ましくは約３６０〜４４０ｍｍである。
【００３０】
本発明の筒状容器を構成する材料は、膨張性を有する弾性変形可能な材料であれば特に限定されない。筒状容器を構成する材料としては、例えば、天然ゴム、合成ゴム（イソプレンゴム、ブタジエンゴム、スチレン・ブタジエンゴム、クロロプレンゴム、ニトリルゴム、ポリイソブチレンゴム、ポリウレタンゴム、シリコンゴム、エチレンプロピレンゴム、クロロスルホン化ポリエチレンゴム、アクリルゴム、フッ素ゴム、エピクロロヒドリンゴム等）、熱可塑性エラストマー（ポリスチレン系、ポリオレフィン系、塩化ビニル系、ポリウレタン系、ポリエステル系、ポリアミド系、ポリブタジエン系等）等が挙げられる。
【００３１】
本発明の筒状容器は、既知の技術またはその組み合わせによって製造することができる。例えば、容器の型を原材料液に浸漬し、原材料を型に付着させて成形する方法、金型中でブロー成形する方法等が挙げられる。容器がコンドームの場合の一つの態様は、先ず、コンドームの形状の型を作製し（型はガラス、ステンレス等の材料により作製する）、この型を天然ゴム、合成ゴム、高分子エラストマー等を含む原材料液に浸漬する。型を原材料液から引き上げ、型に付着した原材料液を加熱して乾燥し、さらに、膨潤、加硫等の処理を施し、乾燥したものを型から取り外してコンドームとする（得られたコンドームの径は、型の径よりも通常５％程度収縮する）。コンドームの開口部にはリングが設けられる。コンドームは通常巻き上げられ、パッケージングした形態で保管される。
【００３２】
コンドームは必要に応じて他の成分を含んでいてもよいし、潤滑剤等の他の成分が塗布等されていてもよい。含有することができる他の成分としては、加硫剤、加硫助剤、加硫促進剤、老化防止剤、安定剤等が挙げられる。加硫剤としては、特に限定されないが、硫黄、硫黄含有化合物、過酸化物等が挙げられる。加硫助剤としては、特に限定されないが、酸化亜鉛、酸化マグネシウム等の無機化合物や、ステアリン酸、アミン類等の有機化合物が挙げられる。加硫促進剤としては、特に限定されないが、チウラム類（テトラメチルチウラムモノスルフィド、テトラメチルチウラムジスルフィド等）、ジチオカルバミン酸塩類（ジエチルジチオカルバミン酸亜鉛、ジブチルジチオカルバミン酸亜鉛、ジベンジルジチオカルバミン酸亜鉛、ジイソノニルジチオカルバミン酸亜鉛等）、メルカプトベンゾチアゾール類（２−メルカプトベンゾチアゾール、メルカプトベンズチアゾール亜鉛等）、ジチオカーバメイト類（ジンクジエチルジチオカルバメート、ジンクジ−ｎ−ブチル−ジチオカルバメート等）、スルフェンアミド類（２，２−ジチオビスベンゾチオゾール−２−スルフェンアミド、Ｎ−シクロヘキシルベンゾチアゾール−２−スルフェンアミド等）、ジフェニルグアニジン、チオカーボネート類（トリチオカーボネート等）、グアニジン類（ジフェニルグアニジン、ジ−ｏ−トリルグアニジン等）、チオ尿素等が挙げられる。
【００３３】
老化防止剤としては、特に限定されないが、ヒンダードフェノール系化合物（４−［［４，６−ビス（オクチルチオ）−１，３，５−トリアジン−２−イル］アミノ］−２，６−ジ−ｔｅｒｔ−ブチルフェノール、２，４−ビス［（オクチルチオ）メチル］−ｏ−クレゾール、ｐ−クレゾールとジシクロペンタジエンのブチル化反応生成物、ブチル化フェノール、オクチル化フェノール等）、ビスフェノール系化合物（４，４’−チオビス（３−メチル−６−ｔｅｒｔ−ブチルフェノール）等）等が挙げられる。安定剤としては、特に限定されないが、水酸化カリウム、ジアルキルアミン、高級脂肪族アルコール、ラウリン酸石鹸、エチレンジアミンテトラ酢酸等が挙げられる。また、潤滑剤としては、特に限定されないが、シリコーンオイル、ラノリン、α−オレフィン、ポリアルキレングリコール、ポリオールエステル、流動パラフィン、パラフィンワックス、脂肪酸、高級アルコール、ノニオン性、アニオン性、もしくはカチオン性界面活性剤等が挙げられる。
【００３４】
以下に本発明を実施例によってさらに詳細に説明するが、本発明はこれらの実施例に限定されるものではない。
【００３５】
以下の条件により、実施例および比較例のコンドームを製造した。
原料：  天然ゴム、硫黄(加硫剤)、酸化亜鉛(加硫助剤)、ビスフェノール系化合物（老化防止剤）、及び水を主成分とする配合原料を用いた。
条件：  本発明および比較例のそれぞれに対応するガラス製型を用いた。
ガラス製型を上記原材料液中に浸漬し（浸漬深さ２３０ｍｍ）、型を原材料液から引き上げ、乾燥後、膨潤処理および後加硫処理を行った。
【００３６】
（実施例１）
図４に示す縦断面形状を有するコンドームを模したガラス型を用いて、突起部（Ｔ）（精液溜め）を除いた全体の長さが約１８０ｍｍであり、開口部の径が約３３ｍｍのコンドームを作製した。コンドームは、重量が約０．９５ｇ、厚さが約０．０４４ｍｍであった。得られたコンドームの形状を以下に記す。コンドームは、閉口部の先端より約３０ｍｍの位置（径：約３３ｍｍ）で半径（Ｒ）約４００ｍｍのコンドームの外側に凸となる円弧と接線を形成するように接続し、この半径（Ｒ）約４００ｍｍの円弧により径が漸次縮小し、閉口部先端より約６０ｍｍの位置（径：約３２．７５ｍｍ）を変曲点（Ｐ）として曲線の向きが反転して半径（Ｒ）約４００ｍｍのコンドームの内側に凸となる円弧により引き続き径が漸次縮小する。向きが反転した円弧はコンドームの中心軸線（Ｓ）と平行な線を接線とし、閉口部先端より約９０ｍｍの位置が接点（Ｑ）となる。この閉口部先端より約９０ｍｍの位置は径が最も縮小した部位となる（径：約３０.５ｍｍ）。接点を過ぎた円弧は径を漸次拡大させ、閉口部先端より約１２０ｍｍの位置（径：約３２．７５ｍｍ）を変曲点（Ｐ’）として曲線の方向が再度反転する。再度反転した半径（Ｒ）約４００ｍｍのコンドームの外側に凸となる円弧は約１５０ｍｍ付近で開口部と同等径になり、約１５０ｍｍ〜開口部の間はコンドームの中心軸線（Ｓ）とほぼ平行な直線によって輪郭線が形成され、開口部近傍に接続している。
【００３７】
（比較例１）
図６〜８に示すコンドームの形状を模したガラス型を用いて、突起部（Ｔ）（精液溜め）を除いた全体の長さが約１８０ｍｍであり、径が約３３ｍｍのコンドームを作製した。コンドームは、重量が約０．９５ｇ、厚さが約０．０４４ｍｍであった。得られたコンドームの形状は、開口部の径が一定に閉口部近傍まで続くストレートな輪郭線により形成され、中間部に縮径部を有しない。
【００３８】
（比較例２）
図９〜１１に示すコンドームの形状を模したガラス型を用いて、突起部（Ｔ）（精液溜め）を除いた全体の長さが約１８０ｍｍであり、開口部の径が約３３ｍｍのコンドームを作製した。コンドームは、重量が約０．９５ｇ、厚さが約０．０４４ｍｍであった。得られたコンドームの形状を以下に記す。コンドームは、閉口部の先端より約４０ｍｍの位置（径：約３６ｍｍ）で径の縮小を開始し、閉口部の先端より約６５ｍｍの位置で径が約２９ｍｍｍｍとなり、閉口部の先端より約６５ｍｍ〜１１０ｍｍの間は、コンドームの中心軸線（Ｓ）と平行な直線によって輪郭線が形成される。閉口部の先端より約１１０ｍｍの位置から径が拡大し、約１３５ｍｍの付近で開口部と同等径になり、約１３５ｍｍ〜開口部の間はコンドームの軸線方向とほぼ平行な直線によって輪郭線が形成され、開口部近傍に接続している。
【００３９】
（実施例２）
上記実施例および比較例で作製したコンドームを、以下に示す方法により、コンドームの破裂圧力および破裂容量を試験した。測定機器は、空気を注入する空洞部分と、空洞部分の外径部分に膨張機能を有する内側締付具と、内側締付具の上部に支持部と、内側締付具の外側に取り付ける外側締付具とを有するものを用いた。まず、巻きほぐしたコンドームを測定機器の支持棒に被せ、内側締付具と外側締付具でコンドームの規定長さ部分を挟み込み、内側締付具を膨張させ、内側締付具と外側締付具によってコンドームを固定した。次に、コンドームに空気を注入し、コンドームの規定の長さ部分を空気で膨張させて破裂時の破裂圧力及び破裂容量を記録した。
【００４０】
支持棒の長さは規格によって定められている。日本工業規格（ＪＩＳ）に基づき、突起部（精液溜め）を除いた長さ１２５±２ｍｍが膨らむように設計された支持棒（１２５ロッド）を用いて試験したコンドームと、国際標準化機構規格（ＩＳＯ規格）に基づき、突起部（精液溜め）を除いた長さ１５０±３ｍｍが膨らむように設計された支持棒（１５０ロッド）を用いて試験したコンドームについて、得られた破裂圧力及び破裂容量の測定結果を表１に示す。
【００４１】
【表１】
2019207793.tif 000003
【００４２】
表１から、実施例１のコンドームは、比較例１および２のコンドームに比べ破裂圧力（耐圧性能を表す）が向上しており、しかも破裂容量（収容容量に対応する）は比較例２のコンドームに比べて大きく、比較例１に近い破裂容量を維持していることが分かる。
【図１】
2019207793.tif 000004
【図２】
2019207793.tif 000005
【図３】
2019207793.tif 000006
【図４】
2019207793.tif 000007
【図５】
2019207793.tif 000008
【図６】
2019207793.tif 000009
【図７】
2019207793.tif 000010
【図８】
2019207793.tif 000011
【図９】
2019207793.tif 000012
【図１０】
2019207793.tif 000013
【図１１】
2019207793.tif 000014
【国際調査報告】
2019207793.tif 000015
2019207793.tif 000016
2019207793.tif 000017
2019207793.tif 000018
2019207793.tif 000019
2019207793.tif 000020